(57)【要約】【課題】大きな節水効果を図ることのできる男性用循環式水洗トイレを提供する。【解決手段】男性用循環式水洗トイレであって、水洗便器３と、洗浄水を貯留する洗浄水貯留槽７と、この洗浄水貯留槽７内の洗浄水を前記水洗便器３へ循環するための洗浄水循環手段２７と、人体を検知する人体検知手段４７と、前記水洗便器３内への小水を排水管１５へ流出し前記水洗便器３内の洗浄を行った洗浄水を前記洗浄水貯留槽７へ流出すべく前記水洗便器３内からの流出路１１を切替え自在の切替弁１７とを備え、前記洗浄水貯留槽７の底部は、洗浄水を集中するための洗浄水集中部９が最も低くなるように傾斜してあり、前記洗浄水貯留槽７は、常態においては当該洗浄水貯留槽７内の臭気の流出を防止すべく密封してある。【選択図】図１
2006348528.tif 000002
【特許請求の範囲】
【請求項１】
男性用循環式水洗トイレであって、水洗便器と、洗浄水を貯留する洗浄水貯留槽と、この洗浄水貯留槽内の洗浄水を前記水洗便器へ循環するための洗浄水循環手段と、人体を検知する人体検知手段と、前記水洗便器内への小水を排水管へ流出し前記水洗便器内の洗浄を行った洗浄水を前記洗浄水貯留槽へ流出すべく前記水洗便器内からの流出路を切替え自在の切替弁と、を備えていることを特徴とする男性用循環式水洗トイレ。
【請求項２】
請求項１に記載の男性用循環式水洗トイレにおいて、前記洗浄水貯留槽の底部は、洗浄水を集中するための洗浄水集中部が低くなるように傾斜してあることを特徴とする男性用循環式水洗トイレ。
【請求項３】
請求項１又は２に記載の男性用循環式水洗トイレにおいて、前記洗浄水貯留槽は、常態においては当該洗浄水貯留槽内の臭気の流出を防止すべく密封してあることを特徴とする男性用循環式水洗トイレ。
【請求項４】
請求項１，２又は３に記載の男性用循環式水洗トイレにおいて、前記水洗便器から人体が離れたことを前記人体検知手段によって検知したときに前記洗浄水循環手段を駆動すると共に前記水洗便器内の洗浄水を前記洗浄水貯留槽内へ流すように前記切替弁の切替えを制御するための制御装置を備えていることを特徴とする男性用循環式水洗トイレ。
【請求項５】
請求項１〜４のいずれかに記載の男性用循環式水洗トイレにおいて、当該水洗トイレを使用しない状態となったとき又は所定時刻になったときに前記洗浄水貯留槽内の洗浄水を排水管へ排出し、新しい洗浄水を貯留する構成であることを特徴とする男性用循環式水洗トイレ。
【発明の詳細な説明】
【技術分野】
【０００１】
本発明は、男性用の循環式水洗トイレに関し、さらに詳細には、全体的構成をユニット化して設置の容易化を図ると共に大きな節水効果を図った男性用循環式水洗トイレに関する。
【背景技術】
【０００２】
従来、男性用トイレには、水洗便器に人が近づいて使用することを検知して洗浄水（洗浄液）を流すと共に、便器の使用後に再び洗浄水を流すトイレが開発されている。この種のトイレにおいては、便器の清掃を自動的に行うことができるものの、洗浄に使用する水量が多いという問題がある。そこで、汚水を浄化して洗浄水として再利用する循環式水洗トイレが提案されている（例えば特許文献１参照）。
【特許文献１】特開２００４−１１２３６号公報
【発明の開示】
【発明が解決しようとする課題】
【０００３】
前記特許文献１に記載の発明においては、キャスターを備えた構成であるから、移動が容易であり、所望位置への設置が容易であるものの、汚水タンクとしての第１タンク上に、汚水を浄化するために第１〜第３槽を備えた第２タンクを備え、この第２タンクに隣接して便器を備えた構成である。したがって、全体的構成が大型化し占有面積が大きくなるという問題がある。
【０００４】
また、特許文献１に記載の発明においては、第１タンク内の汚水を第２タンクへ送水とするとき、汚水中の汚物や紙片などを細かく破くためのカッタ刃を備えた高価なポンプを使用するものであり、全体的構成が高値な構成になるという問題がある。
【課題を解決するための手段】
【０００５】
本発明は、前述のごとき従来の問題に鑑みてなされたもので、男性用循環式水洗トイレであって、水洗便器と、洗浄水を貯留する洗浄水貯留槽と、この洗浄水貯留槽内の洗浄水を前記水洗便器へ循環するための洗浄水循環手段と、人体を検知する人体検知手段と、前記水洗便器内への小水を排水管へ流出し前記水洗便器内の洗浄を行った洗浄水を前記洗浄水貯留槽へ流出すべく前記水洗便器内からの流出路を切替え自在の切替弁と、を備えているものである。
【０００６】
また、前記男性用循環式水洗トイレにおいて、前記洗浄水貯留槽の底部は、洗浄水を集中するための洗浄水集中部が低くなるように傾斜してあることを特徴とする。
【０００７】
また、前記男性用循環式水洗トイレにおいて、前記洗浄水貯留槽は、常態においては当該洗浄水貯留槽内の臭気の流出を防止すべく密封してあることを特徴とするものである。
【０００８】
また、前記男性用循環式水洗トイレにおいて、前記水洗便器から人体が離れたことを前記人体検知手段によって検知したときに前記洗浄水循環手段を駆動すると共に前記水洗便器内の洗浄水を前記洗浄水貯留槽内へ流すように前記切替弁の切替えを制御するための制御装置を備えていることを特徴とするものである。
【０００９】
また、前記男性用循環式水洗トイレにおいて、当該水洗トイレを使用しない状態となったとき又は所定時刻になったときに前記洗浄水貯留槽内の洗浄水を排水管へ排出し、新しい洗浄水を貯留する構成であることを特徴とするものである。
【発明の効果】
【００１０】
本発明によれば、水洗トイレ内の小水は排水管へ排出し、前記水洗トイレに付着している小水成分を洗浄するものであり、かつ洗浄水を循環して利用するので、洗浄水の使用量が少なくなり、節水効果が向上するものである。
【発明を実施するための最良の形態】
【００１１】
図１に概念的，概略的に示すように、本発明の実施形態に係る男性用の循環式水洗トイレ１は、水洗便器３を備えたハウジング５を備えている。このハウジング５内の下部側には、前記水洗便器３の洗浄を行うための洗浄水Ｗを適量貯留する洗浄水貯留槽７が備えられている。この洗浄水貯留槽７における底部には洗浄水Ｗを一箇所に集中するように洗浄水集中部９が備えられている。換言すれば、前記洗浄水貯留槽７の底部は、前記洗浄水集中部９が最も低くなるように適宜に傾斜してある。
【００１２】
上記洗浄水集中部９を形成する構成としては、貯留槽７の底部を円錐、角錐など、錐形に形成することが望ましいが、例えば、椀状のごとき適宜の曲面に形成することも可能である。
【００１３】
前記水洗便器３の底部に備えた流出路１１は、前記洗浄水貯留槽７に連通した連通路１３と下水道（図示省略）に接続する排水路（排水管）１５とに分岐してあり、この連通路１３と排水路１５との分岐部には、切替弁１７が備えられている。この切替弁１７は、前記流出路１１と連通路１３とを接続したときには前記流出路１１と排水路１５との接続を遮断し、逆に、流出路１１と排水路１５とを接続したときには、前記流出路１１と連通路１３との接続を遮断する作用をなすものである。上記切替弁１７は、例えばロータリーアクチュエータによってフラッパーを切り替えるフラップ弁、三方弁、ロータリーバルブなど、例えばソレノイドなどのごとき適宜のアクチュエータによって切替え動作が行われる構成である。
【００１４】
前記洗浄水貯留槽７の洗浄水集中部９には前記排水路１５に接続した排水管１９が接続してあり、この排水管１９には、当該排水管１９を連通遮断自在な、例えばソレノイドバルブ等のごとき開閉弁２１が設けられている。この開閉弁２１は、前記洗浄水貯留槽７内の洗浄水の排出を行うときに開作動されるものである。そして、上記開閉弁２１の開動作によって洗浄水が排出された後、新しい洗浄水を前記洗浄水貯留槽７内へ供給するための供給管２３が接続してあり、この供給管２３には開閉弁２５が備えられている。
【００１５】
前記洗浄水貯留槽７内に貯留された前記洗浄水を前記水洗便器３の洗浄を行うべく循環するために、前記ハウジング５内には洗浄水循環手段２７が備えられている。より詳細には、前記洗浄水循環手段２７は、前記洗浄水貯留槽７の前記洗浄水集中部９付近から洗浄水Ｗを吸引するポンプ１０を備えており、このポンプ１０の吐出側配管３１には、例えばサイクロン等のごとき浄化手段３３が備えられている。そして、前記吐出側配管３１は、前記ハウジング５内に備えたサブタンク３５に接続してある。
【００１６】
なお、前記ポンプ１０によって水洗便器３へ洗浄水を循環するとき、前記浄化手段３３に代えて、前記ポンプ１０の吸引側に接続したパイプにフィルターを設けるなど、ポンプ１０から水洗便器３に至る適宜位置にフィルター装置を設けることも可能である。また、循環する洗浄水が比較的清浄な場合には、前記浄化手段３３を省略することも可能である。
【００１７】
前記サブタンク３５は、前記水洗便器３へ流すための洗浄水を一時的に貯留するもので、このサブタンク３５には当該サブタンク３５内の洗浄水を排出するための排出管３７が接続してあり、この排出管３７には、開閉弁３９が備えられている。さらに、前記サブタンク３５にはオーバーフローパイプ４１が接続してある。さらに、前記サブタンク３５内の洗浄水を前記水洗便器３へ流すためのポンプ４３が備えられていると共に、前記水洗便器３の上部側へ接続した配管４５が備えられている。
【００１８】
なお、前記吐出側配管３１と前記配管４５とを直接接続した構成とすることも可能であり、この場合には、前記サブタンク３５及びポンプ４３等を省略することも可能である。
【００１９】
前記ハウジング５には、例えば超音波センサ等のごとき適宜の近接センサよりなる人体検知手段４７が備えられていると共に、各種アクチュエータの制御を行う制御装置４９が適宜位置に備えられている。前記制御装置４９は、前記人体検知手段４７が水洗便器３を使用（利用）している人を検知しているときには、前記水洗便器３の流出路１１と排水路１５とを接続するように前記切替弁１７の切替えを制御する。そして、使用者（利用者）が水洗便器３の使用を終了したこと（離れたこと）を前記人体検知手段４７によって検知したとき、制御装置４９は、前記水洗便器３の洗浄を行うべくポンプ１０を駆動して、又はポンプ４３を駆動して洗浄水を水洗便器３内に流すと共に、前記流出路１１と連通路１３とを接続すべく前記切替弁１７の切替動作を制御するものである。すなわち、制御装置４９は、後述するように、循環式水洗トイレ１の種々の動作を制御するものである。
【００２０】
以上のごとき構成において、水洗便器３を使用すべく利用者（使用者）がハウジング５に近接すると、人体検知手段４７によって利用者が検知される。この際、切替弁１７は、流出路１１と排水路１５とを接続した状態にあるので、利用者の小便（小水）は排水路１５を介して下水道等へ排出される。そして、利用者がハウジング５から離れたこと又は使用を終了したことを人体検知手段４７等によって検知すると、ポンプ４３が所定時間駆動されて所定量の洗浄水が水洗便器３内へ流されて水洗便器３の洗浄が行われると共に、前記流出路１１と連通路１３とが接続状態となるように、切替弁１７が切替えられる。
【００２１】
したがって、前記水洗便器３の洗浄を行った後の洗浄水は洗浄水貯留槽７に回収されることになる。この際、使用者の小水の大部分は排水路１５側へ排出され、洗浄水は、水洗便器３の表面に付着している少量の小水分を洗い流すことによって水洗便器３の洗浄を行うものであるから、洗浄水貯留槽７に回収される汚水（小水）は少ないものである。よって、洗浄水貯留槽７内の洗浄水の汚染度合いは、全量の小水をも洗浄水貯留槽７内に流入する場合に比較して、大きく遅れるものである。換言すれば、洗浄水は、長時間に亘って比較的清浄な状態に保持される。
【００２２】
したがって、前記洗浄水貯留槽７内の洗浄水の汚染度合いによって洗浄水を交換する頻度が減少し、節水効果が向上するものである。また、水洗トイレの洗浄を行う場合、洗浄水に適宜の浄化液『例えば「ＴＲＩＥＸ−１」（商品名）』を添加する場合もあるが、上記浄化液の添加量を少なくすることができ、場合によっては前記浄化液の添加を省略することも可能である。さらに、前記洗浄水貯留槽７に回収される汚水分が少量であるから、前記洗浄水貯留槽７の容積を小さくすることも可能であり、全体的構成の小型化を図ることができるものである。
【００２３】
前述のごとく、水洗便器３に対して洗浄水を流して洗浄を行った後、タイマー（図示省略）によって予め設定された所定時間が経過すると、前記制御装置４９の制御の下に、前記切替弁１７は初期の状態、すなわち流出路１１と排水路１５とを接続した状態に復帰されるものである。ところで、前記連通路１３又は排水路１５内の臭気が気になるような場合には、常態においては、前記流出路１１と連通路１３及び排水路１５との接続を前記切替弁１７によって遮断状態に保持することが望ましいものである。
【００２４】
前述のごとく、ポンプ４３の駆動によってサブタンク３５内の洗浄水を水洗便器３へ流して洗浄を行うことにより、前記サブタンク３５内の洗浄水が減少したことを、例えばフロートセンサなどのごとき適宜の水位センサ（図示省略）によって検知すると、制御装置４９の制御の下にポンプ１０が駆動されて、洗浄水貯留槽７内の洗浄水がサブタンク３５へ補充される。この際、前記サブタンク３５へ流入する洗浄水は、例えば適宜のフィルターやサイクロン等のごとき浄化手段３３によって微小な固形物等が除去されるものである。
【００２５】
前述したように、前記洗浄水貯留槽７内の洗浄水を循環することによって水洗便器３の洗浄が多数回繰り返され、水洗トイレ１を使用しなくなったとき、又は所定時刻になると、開閉弁２１，３９が開作動されて、洗浄水貯留槽７及びサブタンク３５内の洗浄水は排水路１５へ排出される。前記所定時刻は、前記制御装置４９のメモリに予め設定した時刻（例えば、２２：００）と制御装置４９に備えた時計の時刻とを比較することによって検知することができる。また水洗トイレ１を使用しなくなったときは、前記所定時刻前であっても、水洗トイレ１の設置場所の照明が例えば消灯されたことを光センサ（図示省略）によって検出するなど、使用しなくなったことの適数の条件（例えば設置建物のドアがロックされて建物内に人物がいない条件など）を検出すること等によって検知することができる。
【００２６】
前述のごとく、洗浄水貯留槽７内の洗浄水を排出すると、前記洗浄水貯留槽７の底部に洗浄水集中部９が形成してあり、かつ底部は前記洗浄水集中部９が最も低くなるように傾斜してあるので、洗浄水貯留槽７の底部に滞留する傾向にある澱が洗浄水集中部９へ流下して排出されることになる。したがって洗浄水貯留槽７の底部に澱が滞留するようなことがなく、澱の滞留に起因する臭気の発生を防止することができるものである。
【００２７】
前述のごとく、洗浄水貯留槽７及びサブタンク３５から洗浄水を排出した後に、前記開閉弁２１，３９を閉状態にすると共に、開閉弁２５を開状態として前記洗浄水貯留槽７に対して新しい洗浄水を供給すると共にポンプ１０を駆動してサブタンク３５へ新しい洗浄水を補充することにより、洗浄水貯留槽７及びサブタンク３５に対して新しい洗浄水を貯留した初期状態とすることができるものである。
【００２８】
なお、前記洗浄水貯留槽７及びサブタンク３５に新しい洗浄水を貯留するに際して、洗浄水貯留槽７及びサブタンク３５を新しい洗浄水によって一度洗浄した後に、改めて新しい洗浄水を貯留することも可能である。
【００２９】
以上のごとき説明より理解されるように、水洗便器３の洗浄は、洗浄水貯留槽７に回収した洗浄水を循環使用するものであり、しかも、水洗便器３の利用者の小水の大部分は排水管１５に排出し、水洗便器３に付着している小水分を洗浄するものであるから、洗浄水貯留槽７に回収される洗浄水の汚染度合いの進行が遅く、洗浄水貯留槽７から排出される洗浄水の排出回数は、利用人数の割に少なくなるものであって、大きな節水効果が得られるものである。
【００３０】
ところで、前記洗浄水貯留槽７，サブタンク３５内の洗浄水の臭気が外部へ漏れることをより確実に防止するには、洗浄水貯留槽７及びサブタンク３５は、常態においては臭気が外部へ出ないように密封した構成とすることが望ましい。この場合、例えば次のごとき構成とすることができる。なお、サブタンク３５の構成は、洗浄水貯留槽７に準じた構成とすることができるので、洗浄水貯留槽７の場合について例示し、かつ前述した実施形態における構成要素と同一機能を奏する構成要素には同一符号を付することとして重複した説明は省略する。
【００３１】
図２は密封した状態の洗浄水貯留槽７を概念的、概略的に示すものである。この実施形態においては、洗浄水貯留槽７の上部に、洗浄水貯留槽７に対する外気の流入は許容するが、洗浄水貯留槽７内からの気体の流出を阻止するためのチェック弁５１を備えている。さらに、前記チェック弁５１に備えた弁体５３をスプリング５５の付勢力に抗して押圧可能なアクチュエータ５７を備えている。上記アクチュエータ５７としては、必要なときに前記弁体５３を押圧してチェック弁５１を開状態にすることができればよいもので、例えばソレノイドなどとすることも可能である。
【００３２】
前記アクチュエータ５７として、本例においてはピストン５９を往復動自在に内装した流体圧シリンダ６１にて例示してある。前記ピストン５９には、前記弁体５３を先端部でもって押圧可能なピストンロッド６３が備えられている。そして、前記流体圧シリンダ６１におけるピストンロッド側の流体圧室内には、前記ピストンロッド６３を前記弁体５３から離反する方向へ付勢したスプリング６５が弾装してあり、前記流体圧シリンダ６１におけるピストン側の流体圧室は、連通孔６７を介して前記洗浄水貯留槽７の内部と連通してある。
【００３３】
上記構成により、ポンプ１０の駆動によって洗浄水貯留槽７内の洗浄水Ｗがフィルターを介して吸引されて、内部が負圧になると、チェック弁５１におけるスプリング５５の付勢力に抗して弁体５３が内方向へ移動されて、チェック弁５１が開かれて外気が吸引される。同様に、開閉弁２１を開動作して内部の洗浄水を排出するときも、チェック弁５１から外気が吸引されるものである。すなわち、洗浄水貯留槽７内の洗浄水Ｗの吸引や排出を何等の問題なしに行うことができるものである。
【００３４】
なお、密封状態の洗浄水貯留槽７内の多少の圧力変化は、上部の空気層によって吸収されるので、大きな問題となるようなことはないものである。
【００３５】
前記開閉弁２５を開動作して供給管２３から洗浄水貯留槽７内に新しい洗浄水を補充する場合には、洗浄水が供給されることによって洗浄水貯留槽７内の圧力が次第に上昇する。洗浄水貯留槽７内の圧力は流体圧シリンダ６１のピストン側の流体圧室に作用し、スプリング６５の付勢力に抗してピストン５９を押圧するので、ピストンロッド６３がチェック弁５１の弁体５３を押圧し、チェック弁５１を開状態にする。したがって、洗浄水貯留槽７内の気体はチェック弁５１を介して外部へ流出するので、前記洗浄水貯留槽７に対して新しい洗浄水を、何等の問題なしに補充することができるものである。
【００３６】
既に理解されるように、常態においてはチェック弁５１は閉じた状態にあるので、洗浄水貯留槽７内の気体が、常態において外部へ流出することを防止することができるものである。なお、このように密封化した構成においては、洗浄水貯留槽７の底部を平面化することも可能である。
【００３７】
ところで、本発明は、前述したごとき構成のみに限るものではなく、適宜の変更を行うことにより、その他の態様でもって実施可能である。例えば、前記開閉弁２１に代えて、前記洗浄水貯留槽７の底部と前記排水管１９との接続部に、前記排水管１９の開口部を開閉自在な開閉弁を設ける構成としてもよいものである。なお、開閉弁３９も同様の構成とすることができる。
【００３８】
また、供給管２３をサブタンク３５に対応した高さ位置又は配管４５の端部付近に対応して配置して、サブタンク３５側から洗浄水貯留槽７側へ新たな洗浄水を供給する構成や、水洗便器３側から洗浄水貯留槽７側へ新たな洗浄水を供給する構成とすることも可能である。
【００３９】
また、洗浄水貯留槽７から洗浄水を排出するに当り、必要によってはポンプを使用して高位置の排水路１５へ排出する構成とすることも可能である。さらに、通常の水洗トイレのように、前記流出路１１の部分など適宜の部分に排出トラップを設けることも可能である。すなわち、設計的なこととして種々の変化が可能なものである。
【図面の簡単な説明】
【００４０】
【図１】本発明の実施形態に係る循環式水洗トイレの全体的構成を概念的，概略的に示した説明図である。
【図２】第２の実施形態に係る洗浄水貯留槽の構成を概念的，概略的に示した構成説明図である。
【符号の説明】
【００４１】
１    循環式水洗トイレ
３    水洗便器
５    ハウジング
７    洗浄水貯留槽
９    洗浄水集中部
１０    ポンプ
１１    流出路
１３    連通路
１５    排水路（排水管）
１７    切換弁
１９    排水管
２１    開閉弁
２３    供給管
２７    洗浄水循環手段
３３    浄化手段
３５    サブタンク
４３    ポンプ
４７    人体検知手段
４９    制御装置
【図１】
2006348528.tif 000003
【図２】
2006348528.tif 000004
【手続補正書】
【提出日】平成18年1月5日(2006.1.5)
【手続補正１】
【補正対象書類名】特許請求の範囲
【補正対象項目名】全文
【補正方法】変更
【補正の内容】
【特許請求の範囲】
【請求項１】
男性用循環式水洗トイレであって、水洗便器と、洗浄水を貯留する洗浄水貯留槽と、この洗浄水貯留槽内の洗浄水を前記水洗便器へ循環するための洗浄水循環手段と、人体を検知する人体検知手段と、前記水洗便器内への小水を排水管へ流出し前記水洗便器内の洗浄を行った洗浄水を前記洗浄水貯留槽へ流出すべく前記水洗便器内からの流出路を切替え自在の切替弁とを備え、前記洗浄水貯留槽の底部は、洗浄水を集中するための洗浄水集中部が低くなるように傾斜してあり、この洗浄水集中部は錐形に形成してあると共に開閉弁を介して前記排水管に接続してあることを特徴とする男性用循環式水洗トイレ。
【請求項２】
男性用循環式水洗トイレであって、水洗便器と、洗浄水を貯留する洗浄水貯留槽と、この洗浄水貯留槽内の洗浄水を前記水洗便器へ循環するための洗浄水循環手段と、人体を検知する人体検知手段と、前記水洗便器内への小水を、下水道に接続した排水管へ流出し前記水洗便器内の洗浄を行った洗浄水を前記洗浄水貯留槽へ流出すべく前記水洗便器内からの流出路を切替え自在の切替弁とを備え、前記洗浄水貯留槽の底部は、洗浄水を集中するための洗浄水集中部が低くなるように傾斜してあり、この洗浄水集中部と前記排水管とを接続して設けると共に第１の開閉弁を設け、前記洗浄水貯留槽に対して新しい洗浄水を供給するための供給管を設けると共に当該供給管に第２の開閉弁を設け、当該水洗トイレを使用しない状態となったとき又は所定時刻になったときに前記第１の開閉弁を開動作して前記洗浄水貯留槽内の洗浄水を前記排水管へ排出し、前記第１の開閉弁を閉状態にすると共に前記第２の開閉弁を開状態として新しい洗浄水を前記洗浄水貯留槽内に貯留する構成であることを特徴とする男性用循環式水洗トイレ。
【請求項３】
請求項２に記載の男性用循環式水洗トイレにおいて、前記洗浄水貯留槽の底部は錐形に形成してあることを特徴とする男性用循環式水洗トイレ。
【手続補正２】
【補正対象書類名】明細書
【補正対象項目名】０００５
【補正方法】変更
【補正の内容】
【０００５】
本発明は、前述のごとき問題に鑑みてなされたもので、男性用循環式水洗トイレであって、水洗便器と、洗浄水を貯留する洗浄水貯留槽と、この洗浄水貯留槽内の洗浄水を前記水洗便器へ循環するための洗浄水循環手段と、人体を検知する人体検知手段と、前記水洗便器内への小水を排水管へ流出し前記水洗便器内の洗浄を行った洗浄水を前記洗浄水貯留槽へ流出すべく前記水洗便器内からの流出路を切替え自在の切替弁とを備え、前記洗浄水貯留槽の底部は、洗浄水を集中するための洗浄水集中部が低くなるように傾斜してあり、この洗浄水集中部は錐形に形成してあると共に開閉弁を介して前記排水管に接続してあることを特徴とするものである。
【手続補正３】
【補正対象書類名】明細書
【補正対象項目名】０００６
【補正方法】変更
【補正の内容】
【０００６】
また、前記男性用循環式水洗トイレであって、水洗便器と、洗浄水を貯留する洗浄水貯留槽と、この洗浄水貯留槽内の洗浄水を前記水洗便器へ循環するための洗浄水循環手段と、人体を検知する人体検知手段と、前記水洗便器内への小水を、下水道に接続した排水管へ流出し前記水洗便器内の洗浄を行った洗浄水を前記洗浄水貯留槽へ流出すべく前記水洗便器内からの流出路を切替え自在の切替弁とを備え、前記洗浄水貯留槽の底部は、洗浄水を集中するための洗浄水集中部が低くなるように傾斜してあり、この洗浄水集中部と前記排水管とを接続して設けると共に第１の開閉弁を設け、前記洗浄水貯留槽に対して新しい洗浄水を供給するための供給管を設けると共に当該供給管に第２の開閉弁を設け、当該水洗トイレを使用しない状態となったとき又は所定時刻になったときに前記第１の開閉弁を開動作して前記洗浄水貯留槽内の洗浄水を前記排水管へ排出し、前記第１の開閉弁を閉状態にすると共に前記第２の開閉弁を開状態として新しい洗浄水を前記洗浄水貯留槽内に貯留する構成であることを特徴とするものである。
【手続補正４】
【補正対象書類名】明細書
【補正対象項目名】０００７
【補正方法】変更
【補正の内容】
【０００７】
また、前記男性用循環式水洗トイレにおいて、前記洗浄水貯留槽の底部は錐形に形成してあることを特徴とするものである。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
男性用循環式水洗トイレであって、水洗便器と、洗浄水を貯留する洗浄水貯留槽と、この洗浄水貯留槽内の洗浄水を前記水洗便器へ循環するための洗浄水循環手段と、人体を検知する人体検知手段と、前記水洗便器内への小水を、下水道に接続した排水管へ流出し前記水洗便器内の洗浄を行った洗浄水を前記洗浄水貯留槽へ流出すべく前記水洗便器内からの流出路を切替え自在の切替弁とを備え、前記洗浄水貯留槽の底部は、洗浄水を集中するための洗浄水集中部が低くなるように傾斜してあり、この洗浄水集中部と前記排水管とを接続して設けると共に第１の開閉弁を設け、前記洗浄水貯留槽に対して新しい洗浄水を供給するための供給管を設けると共に当該供給管に第２の開閉弁を設け、当該水洗トイレを使用しない状態となったとき又は所定時刻になったときに前記第１の開閉弁を開動作して前記洗浄水貯留槽内の洗浄水を前記排水管へ排出し、前記第１の開閉弁を閉状態にすると共に前記第２の開閉弁を開状態として新しい洗浄水を前記洗浄水貯留槽内に貯留する構成であることを特徴とする男性用循環式水洗トイレ。
【請求項２】
請求項１に記載の男性用循環式水洗トイレにおいて、前記洗浄水貯留槽の底部は錐形に形成してあることを特徴とする男性用循環式水洗トイレ。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
本発明は、前述のごとき問題に鑑みてなされたもので、男性用循環式水洗トイレであって、水洗便器と、洗浄水を貯留する洗浄水貯留槽と、この洗浄水貯留槽内の洗浄水を前記水洗便器へ循環するための洗浄水循環手段と、人体を検知する人体検知手段と、前記水洗便器内への小水を、下水道に接続した排水管へ流出し前記水洗便器内の洗浄を行った洗浄水を前記洗浄水貯留槽へ流出すべく前記水洗便器内からの流出路を切替え自在の切替弁とを備え、前記洗浄水貯留槽の底部は、洗浄水を集中するための洗浄水集中部が低くなるように傾斜してあり、この洗浄水集中部と前記排水管とを接続して設けると共に第１の開閉弁を設け、前記洗浄水貯留槽に対して新しい洗浄水を供給するための供給管を設けると共に当該供給管に第２の開閉弁を設け、当該水洗トイレを使用しない状態となったとき又は所定時刻になったときに前記第１の開閉弁を開動作して前記洗浄水貯留槽内の洗浄水を前記排水管へ排出し、前記第１の開閉弁を閉状態にすると共に前記第２の開閉弁を開状態として新しい洗浄水を前記洗浄水貯留槽内に貯留する構成であることを特徴とするものである。